(57)【要約】【課題】  あらゆるヘッドスピードのスイングに対しても風切り音を効果的に低減することができ、且つ、容易に製造または装着することができる風切り音低減対策用のゴルフクラブおよびゴルフクラブ用装着具を提供する。【解決手段】  シャフト１１表面に対して垂直に屹立するリブ１２が、シャフトのグリップ１３下端部からヘッド１４上端部へかけての略全体に渡りらせん状に形成されたことを特徴とする。【選択図】図１
2009106707.tif 000002
【特許請求の範囲】
【請求項１】
シャフト表面に対して垂直に屹立するリブが、シャフトのグリップ下端部からヘッド上端部へかけての略全体に渡りらせん状に形成されたことを特徴とするゴルフクラブ。
【請求項２】
シャフト表面に対して垂直に屹立するリブが、シャフトのグリップ下端部からヘッド上端部へかけての略全体に渡りらせん状に形成されるように、予め成型された成型体で構成されることを特徴とするゴルフクラブ用装着具。
【請求項３】
前記成型体は、軟質ゴムまたは軟質樹脂で形成されていることを特徴とする請求項２に記載のゴルフクラブ用装着具。
【請求項４】
前記屹立するリブの底面であって、前記シャフトと接触する面には接着面が形成されていることを特徴とする請求項２に記載のゴルフクラブ用装着具。
【発明の詳細な説明】
【技術分野】
【０００１】  本発明は、ゴルフクラブおよびゴルフクラブ用装着具に関し、特に、スイング時の風切り音を効果的に抑制するゴルフクラブおよびゴルフクラブ用装着具に関する。
【背景技術】
【０００２】  ゴルフがメンタルなスポーツであるといわれるのは周知のとおりであるが、特に、ゴルフクラブのスイング時には最も精神的な集中が必要とされるため、プロの大会などではギャラリーが雑音などを発しないように注意を促す場面がよく見られる。これは、周囲の音がプレイヤーの集中力を散漫にしてしまうからである。【０００３】  外的要因による音に対して、自らがスイングを行う際に発生するいわゆる風切り音も集中力を散漫にする要因の一つとしてあげられる。この風切り音の発生は、図６に示すように、スイングするシャフトの進行方向とは反対側の表面（裏側）の近傍（図中のＡで示す付近）が低圧となり、それにより発生する渦が原因といわれている。【０００４】  ところで、ゴルフクラブの風切り音を低減するゴルフクラブの形状として、従来、表面に円形の突起物を多数形成するという提案がなされている（例えば、特許文献１参照）。しかし、上記に開示されたゴルフクラブは、多数の小突起物をらせん状に配置して形成する必要があるため、製造工程が煩雑で製造コストが高くなるという課題があることに加え、致命的な問題として、小突起物をシャフト表面に多数配列したような構成では、特に、ヘッドスピードが比較的速いスイングの場合に、風切り音を効果的に低減できないという課題があった。これは、渦の発生要因となる上記の低圧部分、即ち、シャフト表面における気圧差が有効に解消できていないためと考えられる。
【特許文献１】  登録実用新案第３０５６６９４号公報  第２頁〜第３頁  図１
【発明の開示】
【発明が解決しようとする課題】
【０００５】  そこで本発明は上記従来の課題に鑑みてなされたものであって、あらゆるヘッドスピードのスイングに対しても風切り音を効果的に低減することができ、且つ、容易に製造または装着することができる風切り音低減対策用のゴルフクラブおよびゴルフクラブ用装着具を提供することを目的とするものである。
【課題を解決するための手段】
【０００６】  本発明のゴルフクラブは、シャフト表面に対して垂直に屹立するリブが、シャフトのグリップ下端部からヘッド上端部へかけての略全体に渡りらせん状に形成されたことを特徴とする。
上記構成によれば、屹立したリブがガイドの役割を果たして、シャフト表面近傍の空気が低圧となる進行方向裏側の部分へも有効に誘導されるため、風切り音を効果的に低減することができる。【０００７】  また、本発明のゴルフクラブ用装着具は、シャフト表面に対して垂直に屹立するリブが、シャフトのグリップ下端部からヘッド上端部へかけての略全体に渡りらせん状に形成されるように、予め成型された成型体で構成されることを特徴とする。
上記構成によれば、これを装着することにより上記ゴルフクラブと同様のリブをシャフト表面に形成することができるので、上記と同様の原理により風切り音を効果的に低減することができる。【０００８】  また、本発明のゴルフクラブ用装着具は、請求項２に記載のゴルフクラブ用装着具であって、前記成型体は、軟質ゴムまたは軟質樹脂で形成されていることを特徴とする。
上記構成によれば、風切り音を効果的に低減できることに加え、リブをらせん状に配したゴルフクラブ同士が束の状態で接触した場合に互いに擦れあうことがないので、シャフト表面に傷等が付くことを防止できる。【０００９】  また、本発明のゴルフクラブ用装着具は、請求項２に記載のゴルフクラブ用装着具であって、前記屹立するリブの底面であって、前記シャフトと接触する面には接着面が形成されていることを特徴とする。
上記構成によれば、本ゴルフクラブ用装着具を既製のゴルフクラブに容易且つ的確に装着することができる。
【発明の効果】
【００１０】  以上のように、本発明のゴルフクラブおよびゴルフクラブ用装着具によれば、シャフト表面に垂直に屹立させたリブによりシャフト表面付近の空気が適切に誘導されるので、スイング時における圧力差が有効に解消され、風切り音を効果的に低減することができる。また、予め成型されたゴルフクラブ用装着具は、既製のゴルフクラブへの装着が容易に行える。さらに、リブを配したゴルフクラブ同士が束の状態で接触してもシャフトが擦れ合うことがないため、傷等の発生を防止することができる。
【発明を実施するための最良の形態】
【００１１】  以下、本発明の実施の形態におけるゴルフクラブおよびゴルフクラブ用装着具について図面を用いて詳細に説明する。【００１２】  図１は、本発明の実施の形態におけるゴルフクラブの外観を示す斜視図である。また、図２は、シャフト部分を拡大して示す斜視図である。本発明の実施の形態におけるゴルフクラブ１は、シャフト１１の表面にリブ１２を垂直に屹立させ、シャフトのグリップ１３下端からヘッド１４上端まで、略全体に渡ってらせん状に配した構造を有する。リブ１２は、弾性または可撓性を有する軟質ゴムまたは軟質樹脂などで形成され、リブ１２の底面でシャフト１１に接着している。図３は、シャフトの任意断面の様子を示す断面図である。本実施の形態では、リブ１２は、接着強度を高めるため、底面の方を広げた略三角形状の断面としている。【００１３】  図２に矢印で示すように、ゴルフクラブ１を任意方向にスイングすると、屹立したリブ１２がガイドの役割を果たして、シャフト表面近傍の空気が低圧部となる進行方向裏側の部分へも有効に誘導される。そのため、特に、比較的高速のヘッドスピードでスイングする場合であっても、効果的に風切り音を低減することができる。【００１４】  次に、図４は、本発明の実施の形態におけるゴルフクラブ用装着具の外観を示す斜視図である。本発明の実施の形態におけるゴルフクラブ用装着具２は、弾性または可撓性を有する軟質ゴムまたは軟質樹脂などで形成され、既製のゴルフクラブのシャフト表面に巻きつけた際に、適切ならせん形状のリブ２１を形成するように成型されている。シャフト表面と接触するリブ底面には接着剤２２が予め塗布されており、その上に被覆された離型紙を剥がしながらシャフトに装着することができる。なお、接着剤の代用としていわゆる両面テープのようなものを接着してもよい。【００１５】  図５は、本実施の形態におけるゴルフクラブ用装着具を直線状に伸ばした状態の断面形状を示す模式図である。本実施の形態では、シャフト径が大きいグリップ下端側がリブの大きさも大きく、シャフト径が小さいヘッド上端側はリブの大きさが小さくなるように成型している。シャフト径が小さい部分には大きい部分と同じ高さのリブは不要だからである。これにより、無駄のない効果的な風切り音の低減が行えるとともに、外観的にもシャフトのテーパを反映した美観を維持することができる。なお、リブの高さをシャフトの長さ方向で変化させる構成は、上記のゴルフクラブでも実現することが可能である。【００１６】  また、本実施の形態では、ゴルフクラブ用装着具の両端に、接着が容易且つ的確に行えるようにするための平板状のリード部２３を設けている。【００１７】  以上のように、本発明のゴルフクラブによれば、シャフト表面に対して垂直に屹立するリブがシャフトのグリップ下端部からヘッド上端部へかけての略全体に渡りらせん状に形成されているので、スイング時にシャフト表面の空気がスイングで低圧となる部分へも適切に誘導され、風切り音を効果的に低減することができる。【００１８】  また、本発明のゴルフクラブ用装着具によれば、装着することにより既製のゴルフクラブに対しても、同様の風切り音低減の効果をもたらすことができ、しかも、容易且つ��確に装着することができる。【００１９】  さらに、本発明のゴルフクラブおよびゴルフクラブ用装着具によれば、シャフト表面に軟質ゴムまたは軟質樹脂で形成したリブをらせん状に配したゴルフクラブ同士が束の状態で接触しても互いに擦れあうことがないので、シャフト表面に傷等が付くこともなく、ゴルフクラブの保管上においても好ましい。
【図面の簡単な説明】
【００２０】
【図１】  本発明の実施の形態におけるゴルフクラブの外観を示す斜視図
【図２】  シャフト部分を拡大して示す斜視図
【図３】  シャフトの任意断面の様子を示す断面図
【図４】  本発明の実施の形態におけるゴルフクラブ用装着具の外観を示す斜視図
【図５】  本実施の形態におけるゴルフクラブ用装着具を直線状に伸ばした状態の断面形状を示す模式図
【図６】  風切り音発生のメカニズムを説明するための図
【符号の説明】
【００２１】  １  ゴルフクラブ
２  ゴルフクラブ用装着具
１１  シャフト
１２  リブ
１３  グリップ
１４  ヘッド
２１  リブ
２２  接着剤
２３  リード部
【図１】
2009106707.tif 000003
【図２】
2009106707.tif 000004
【図３】
2009106707.tif 000005
【図４】
2009106707.tif 000006
【図５】
2009106707.tif 000007
【図６】
2009106707.tif 000008